(57)【要約】【課題】ガスコンロにおいて、立ち消えが生じないコンロバーナを搭載して使い勝手が良好で、燃焼性がよくて熱効率が高く省エネが得られること。【解決手段】バーナキャップ４とバーナボディ３でこんろバーナ２を構成し、バーナキャップ４は、斜め上向きに噴出して火炎を形成する炎口Ａ８を中心に向かって配列した構成とし、バーナキャップ４の外周壁13には一端９を他端面１０より突出させた断面を有する炎口１６、１９を対向させて配置した補助炎口部２８を形成し、前記バーナボディ３より供給される混合ガスを噴出して衝突火炎２１を形成すると共に、前記補助炎口部２８の略中間部に立ち消え安全装置２０の熱電素子部２０Ａを配設したものである。【選択図】図１
2007057146.tif 000002
【特許請求の範囲】
【請求項１】
上面に開口を設けた環状頭部を有し供給されるガスと燃焼用空気を混合するバーナボディと、前記バーナボディの環状頭部に着脱自在に取り付け、一端を他端面より上方に突出させた断面形状を有する炎口Ａを中心側に向かって放射状に円周等間隔に配設して主炎口部を形成し、前記バーナボディより供給される混合ガスを噴出して旋回状に火炎を形成するバーナキャップよりなるコンロバーナであって、前記バーナキャップの外周壁適所には一端を他端面より突出させた断面を有する炎口を対向させて配置した補助炎口部を形成し、前記バーナボディより供給される混合ガスを噴出して衝突火炎を形成すると共に、前記補助炎口部の略中間部に立ち消え安全装置の熱電素子部を配設したガスコンロ。
【請求項２】
補助炎口部を形成する炎口Ｂおよび炎口Ｃは、一端を他端面より突出させて形成した炎口面に平面部を設けると共に、バーナキャップの外周壁面に沿って相対向する火炎を形成するようにした請求項１記載のガスコンロ。
【請求項３】
補助炎口部を形成する炎口Ｂと炎口Ｃの間に、前記炎口Ｂおよび炎口Ｃの噴出方向とは異なる方向に混合ガスを噴出する炎口Ｄを設けた請求項１または２記載のガスコンロ。
【発明の詳細な説明】
【技術分野】
【０００１】
本発明は、上面に火炎を形成するコンロバーナを搭載したガスコンロに関し、特に、立ち消え検知構成に関するものである。
【背景技術】
【０００２】
従来、コンロバーナ３１は、図１０に示すように、バーナボディ３２上面にバーナキャップ３３を載置して、外炎３４と内炎３５を燃焼させて調理加熱を行うものが主流であったが、近年、図１１に示されているように、バーナボディ３２上面に火炎が上向き噴き出しとなる主炎口３７を設けたバーナキャップ３３を載置して熱効率の向上、省エネルギーに対処するコンロバーナ３１を搭載したガスコンロが開発されてきた（例えば、特許文献１参照）。
【０００３】
図１１は、前記特許文献１に記載されたガスコンロに搭載されたコンロバーナ３１を示すものである。このコンロバーナ３１における立ち消え検知構成は、図１１に示すように、バーナキャップ３３の主炎口３７と、バーナボディ３２と勘合して構成する円筒部の下方に位置するガスのシール部４０との間において、円周一部に凹部４１を設け、凹部４１の側面４２に燃焼確認用炎口４３を設けた構成である。燃焼確認用炎口４３の内方に立ち消え安全装置の熱電素子部４４を設け、燃焼確認用炎口４３に形成された検知用火炎４５にて熱電素子部４４が加熱されて起電力が発生し、起電力の有無で立ち消え安全装置が制御されてコンロバーナ３１の燃焼継続或いは停止ができるようになっている。４６はコンロバーナ３１の中央に設けた二次空気通過孔で、中央に温度センサ４７が設けられて被加熱物に上面が当接している。
【特許文献１】特開２００１−２０１０１７号公報
【発明の開示】
【発明が解決しようとする課題】
【０００４】
しかしながら、前記従来の立ち消え検知構成では、コンロバーナ３１の中央に設けた二次空気通過孔４６に向けた側面４２に燃焼確認用炎口４３を設けて熱電素子部４４を加熱する構成にし、二次空気通過孔４６に温度センサ４７を設けたので、主炎口３７で燃焼が開始すると火炎が円周に沿って斜め上方に流れることにより旋回流が生じた状態で燃焼を継続しているために、火炎に供給される火炎周囲の二次空気も同様に旋回流状態を呈して火炎に流れ込んでいる。従って、燃焼確認用炎口４３が形成される領域にも空気の旋回流が生じているために、燃焼確認用炎口４３の火炎４５は周辺の旋回流の影響を受けて旋回流に吹き飛ばされることによって、消火するという不具合が生じる課題があった。また、コンロバーナ３１の燃焼時に燃焼確認用炎口４３の燃焼炎は熱電素子部４４を加熱して立ち消え安全装置が正常に作動する一方で、二次空気通過孔４６に温度センサ４７を設けた場合、温度センサ４７も同時に加熱するために、温度センサ４７は本来被加熱物に接触して被加熱物の温度を検知してコンロバーナ３１の燃焼を制御する働きをするのに対して、被加熱物以外の部分から加熱される結果となるために被加熱物の温度が正確に検知できなくなる。従って、本コンロバーナ３１を搭載したコンロにあっては調理中の被加熱物の温度が正確に検知できず、被加熱物が異常に加熱された状態が生じたり、被加熱物の加熱が加熱されない状態で燃焼が停止したりする使い勝手の悪いコンロが提供されたりする課題があった。
【０００５】
本発明は上記課題を解決し、省エネ・熱効率の向上を図りながら、燃焼性が良好なコンロバーナを搭載したコンロを提供することを目的とする。
【課題を解決するための手段】
【０００６】
上記課題を解決するために本発明のガスコンロは、上面に開口を設けた環状頭部を有し供給されるガスと燃焼用空気を混合するバーナボディと、前記バーナボディの環状頭部に着脱自在に取り付け、一端を他端面より上方に突出させた断面形状を有する炎口Ａを中心側に向かって放射状に円周等間隔に配設して主炎口部を形成し、前記バーナボディより供給される混合ガスを噴出して旋回状に火炎を形成するバーナキャップよりなるコンロバーナであって、前記バーナキャップの外周壁適所には一端を他端面より突出させた断面を有する炎口を対向させて配置した補助炎口部を形成し、前記バーナボディより供給される混合ガスを噴出して衝突火炎を形成すると共に、前記補助炎口部の略中間部に立ち消え安全装置の熱電素子部を配設したものである。
【０００７】
上記発明によれば、バーナキャップの上面に旋回状の主火炎を形成する形態のコンロバーナにおいて、前記バーナキャップの外周壁適所には一端を他端面より突出させた断面を有する炎口を対向させて配置した補助炎口部を形成し、前記バーナボディより供給される混合ガスを噴出して衝突火炎を形成すると共に、前記補助炎口部の略中間部に立ち消え安全装置の熱電素子部を配設したことにより、炎口Ｂからバーナキャップの外周の円周方向にガスが噴出し、炎口Ｃからは炎口Ｂから噴出したガスとは反対方向の円周方向に噴出する。従って、炎口Ｂから噴出したガスと炎口Ｃから噴出したガスは、炎口Ｂと炎口Ｃ間の略中間部で衝突した流れ状態になる。よって、炎口Ｂと炎口Ｃにて燃焼が開始されると燃焼時に形成される火炎は炎口Ｂと炎口Ｃ間に衝突火炎を形成する。
【０００８】
同時に炎口Ａにて旋回流を呈して燃焼が継続されてコンロバーナ周辺には二次空気の旋回流が生じているために、衝突火炎も旋回流の中に形成されているために吹き飛ばされるように旋回流が作用するが、炎口Ｃからのガスが炎口Ｂからの噴出方向とは逆方向に噴出されているために旋回流に対向した流れで旋回流の力と均衡状態になることで衝突火炎は吹き飛ばされることなく安定した燃焼を継続することで、立ち消え安全装置の熱電素子部は安定して衝突火炎で加熱されることとなる。従って、使用中に立ち消えしたりする不具合が生じない使い勝手の良好なコンロが提供できるものである。
【０００９】
また、バーナキャップの中心に向かって放射状円周等間隔に、一端を他端面より上方に突出させた断面の炎口Ａを設け、その炎口部の両端には平面部を設けて炎口寸法のばらつきを少なくする形状とし、炎口部を含めすべてプレス加工できる構成にしたもので、これにより造りやすく安価なものとなる。
【００１０】
また、主炎口部は火炎が斜め上向きとなることにより、円周方向へ噴き出す力と、排気熱が上方向からさらに鍋底を伝って排出される力により旋回流が生じて、中央の二次空気通過孔よりより多くの二次空気を吸引することができ良好な燃焼が得られる。さらには鍋底とバーナ間を近づけることができ省エネ・熱効率を向上させることができる。
【発明の効果】
【００１１】
本発明のガスコンロは、バーナキャップの上面に旋回状の主火炎を形成する形態のコンロバーナにおいて、前記バーナキャップの外周壁に沿って衝突火炎を形成し、その火炎中に立ち消え安全装置の熱電素子部を配設したことにより、熱効率を向上させた省エネルギーで立ち消えのない使い勝手の良いガスコンロを提供することができる。
【発明を実施するための最良の形態】
【００１２】
第１の発明は、上面に開口を設けた環状頭部を有し供給されるガスと燃焼用空気を混合するバーナボディと、前記バーナボディの環状頭部に着脱自在に取り付け、一端を他端面より上方に突出させた断面形状を有する炎口Ａを中心側に向かって放射状に円周等間隔に配設して主炎口部を形成し、前記バーナボディより供給される混合ガスを噴出して旋回状
に火炎を形成するバーナキャップよりなるコンロバーナであって、前記バーナキャップの外周壁適所には一端を他端面より突出させた断面を有する炎口を対向させて配置した補助炎口部を形成し、前記バーナボディより供給される混合ガスを噴出して衝突火炎を形成すると共に、前記補助炎口部の略中間部に立ち消え安全装置の熱電素子部を配設したことを特徴とするものである。
【００１３】
これにより、補助炎口部から噴出したガスの衝突現象が起こる。この衝突現象にて生じた衝突火炎が形成されることで旋回流に対抗した安定した火炎形態により立ち消え安全装置の熱電素子部が加熱されるので、衝突火炎の吹き消え現象がなく安定して熱電素子部の加熱が継続される。よって、立ち消えのない使い勝手のよいコンロが提供できる。また、従来と同様に火炎が円周に沿って斜め上方に流れ、旋回流が起こり、二次空気を吸引して供給することにより、最適な燃焼状態が得られる。
【００１４】
第２の発明は、補助炎口部を形成する炎口Ｂおよび炎口Ｃは、一端を他端面より突出させて形成した炎口面に平面部を設けると共に、バーナキャップの外周壁面に沿って相対向する火炎を形成するようにしたことを特徴とするものである。
【００１５】
これにより、炎口面に平面部を設けた炎口Ｂ及び炎口Ｃで補助炎口部を構成しているために、噴出するガスの流れ方向が規制されるので平行部に沿ってガスをバーナキャップの外周の接線方向に噴出する。従って、両炎口から噴出して得られた衝突火炎は衝突点がバーナキャップの外周近傍に存在するので、衝突点とバーナキャップ外周壁間に負圧領域が形成され、コアンダ効果でより安定した衝突火炎が得られるとともに、安定した熱電素子の加熱が得られる。
【００１６】
また、プレス加工時、平面部を金型に当てて、バラツキの少ないスリット巾寸法を有する炎口Ｂと炎口Ｃが得られる。
【００１７】
第３の発明は、補助炎口部を形成する炎口Ｂと炎口Ｃの間に、前記炎口Ｂおよび炎口Ｃの噴出方向とは異なる方向に混合ガスを噴出する炎口Ｄを設けたことを特徴とするものである。
【００１８】
これにより、バーナキャップの外周壁に沿って形成される衝突火炎の略中間部に前記バーナキャップの外周壁から外方に向かって火炎が形成されて燃焼することになるため、補助炎口部における全体の火炎ボリュウムが大きくなり、より熱電素子部が加熱されやすくなると同時に熱電素子の位置が組み立てバラツキで多少位置ズレしても、大きな火炎にて加熱されるので安定した立ち消え安全装置の性能が得られる。
【００１９】
また、ガスコンロ使用時にコンロバ−ナの燃焼量が調整されて火炎が小さくなってもガス量が多く噴出している状態からの変化であるために消炎してしまうことがなく熱電素子の加熱が継続されるので、ガスコンロが消火することなく安心して使用できる。
【００２０】
以下、本発明の実施の形態について、図面を参照しながら説明する。なお、本実施例の形態によって本発明が限定されるものではない。
【００２１】
（実施の形態１）
図１は、本発明の第１の実施の形態におけるコンロバーナの断面図を示し、図２は本発明のコンロバーナを搭載したガスコンロを示すものである。図３はバーナキャップの上面図、図４はバーナキャップの上面に設けた炎口のＡ−Ａ断面図を示すものである。図５はバーナキャップの外周壁に形成した補助炎口部を構成する炎口Ｂと炎口Ｃの関係を示す図、図６は補助炎口部の断面を示す図、図７はＢ−Ｂ断面図を示すものである。
【００２２】
図において、１はガスコンロでコンロバーナ２を有し、コンロバーナ２は、上面に開口を設けた環状頭部を有し供給されるガスと燃焼用空気を混合するバーナボディ３と、このバーナボディ３に嵌合搭載されるバーナキャップ４で構成され、該バーナキャップ４は、ステンレス材等でプレス加工し、ガスシール部は中央の二次空気通過孔５の円筒部６、外周の円筒部７の２ヶ所で構成されている。バーナボディ３にはバーナキャップ４の平面部７が載る構成である。
【００２３】
また、バーナキャップ４の上面側には一端９を他端面１０より上方に突出させた断面形状を有する炎口Ａ８を中心側に向かって放射状に円周等間隔に配設して主炎口部８Ａを形成しており、炎口Ａ８の形状は、一端９を他端面１０より上方に突出させた形状でプレス加工にて炎口スリット巾１２を形成し、炎口スリット巾１２のガス噴き出しが斜め上方を向くようにしたものである。火炎が円周に沿って斜め上方に流れることにより旋回流が起こり、バーナキャップ４の中央の二次空気通過孔５より二次空気の吸引して供給することにより、最適な良好燃焼が得られる。
【００２４】
また、炎口部は火炎が斜め上向きとなることにより、円周方向へ噴き出す力と、排気熱が上方向からさらに鍋底を伝って排出される力により旋回流が生じて、中央二次空気通過孔５よりより多くの二次空気を吸引することができ良好な燃焼を得ることができる。したがって、被加熱物底とコンロバーナ２間距離を近づけることができ省エネ・熱効率を向上させることができる。
【００２５】
また、バーナキャップ４の外周壁１３には、一端９を他端面１０より外方１５に突出させた断面を有した炎口Ｂ１６と炎口Ｃ１９を相対向させて配設した補助炎口部２８を形成し、この炎口Ｂ１６と炎口Ｃ１９の略中間部に立ち消え安全装置２０の熱電素子部２０Ａを設ける構成としてある。
【００２６】
これにより、炎口Ｂ１６と炎口Ｃ１９から噴出したガスの衝突現象が起こる。この衝突現象にて生じた衝突火炎２１が形成されることで旋回流に対抗した安定した衝突火炎２１にて立ち消え安全装置２０の熱電素子部２０Ａが加熱されるので衝突火炎２１の吹き飛ばされによる熱電素子部２０Ａの加熱されない状態が生じることがない。よって、立ち消えのない使い勝手のよいコンロ１が提供できる。
【００２７】
（実施の形態２）
図８は本発明の第２の実施の形態の炎口Ｂ及び炎口Ｃの断面形状を示し、図７に示すＢ−Ｂ断面図に相当するものである。尚、実施の形態１と同等の機能及び作用するものには同一番号を附し説明は省略する。
【００２８】
図において、バーナキャップ４の炎口Ｂ１６と炎口Ｃ１９の一端２２及び他端２３に平面部２４を設けたスリット幅２９形状にしたコンロバーナ２を有したガスコンロ１である。
【００２９】
これにより、炎口Ｂ１６及び炎口Ｃ１９を構成する出口を構成する両端は互いに平面部２４を有しているために、流れ方向が規制されるので平面部２４に沿ってガスをバーナキャップ４の外周２６の接線方向に噴出する。従って、両炎口から噴出して得られた衝突火炎２１は衝突点２７をバーナキャップ４の外周２６近傍に存在するので、衝突点２７とバーナキャップ４外周壁間に負圧領域が形成されるのでコアンダ効果生じてより安定した衝突火炎２１が得られるのでより安定した熱電素子部２０Ａの加熱が得られる。
【００３０】
またプレス加工時、平面部２４を金型に当ててバラツキの少ないスリット幅２９寸法を
有する炎口Ｂ１６及び炎口Ｃ１９が得られる。
【００３１】
（実施の形態３）
図９は、本発明の第３の実施の形態の熱電素子部を加熱する炎口構成状態を示す図である。尚、他の実施の形態と同等の機能及び作用するものには同一番号を附し説明は省略する。
【００３２】
バーナキャップ４の外周壁１３に形成した炎口Ｂ１６と炎口Ｃ１９の間に、前記炎口Ｂ１６および炎口Ｃ１９の噴出方向とは異なる方向に混合ガスを噴出する炎口Ｄ２７設けたコンロバーナ２を有したガスコンロ１である。
【００３３】
これにより、炎口Ｂ１６と炎口Ｃ１９にて形成された衝突火炎２１の中央に炎口Ｄ２７に形成された火炎が存在して燃焼しているので、全体の火炎ボリュウムが大きくなり、より熱電素子部２０Ａが加熱されやすくなると同時に熱電素子の位置が組み立てバラツキで多少位置ズレしても火炎にて加熱されるので安定した立ち消え安全装置性能が得られる。
【００３４】
また、ガスコンロ使用時にコンロバ−ナの燃焼量が調整されて火炎が小さくなってもガス量が多く噴出している状態からの変化であるために消炎してしまうことがなく熱電素子の加熱が継続されるので、ガスコンロが消火することなく安心して使用できる。
【産業上の利用可能性】
【００３５】
以上のように、本発明にかかるガスコンロは、燃焼熱有無を検知してガスの供給を制御する燃焼機等の用途にも適用できる。
【図面の簡単な説明】
【００３６】
【図１】本発明の実施形態１におけるコンロバーナの断面図
【図２】同コンロバーナを搭載したガスコンロ外観図
【図３】同コンロバーナのバーナキャップの上面図
【図４】同コンロバーナのバーナキャップの上面に設けた炎口のＡ−Ａ断面図
【図５】同コンロの外周壁に形成した補助炎口部を構成する炎口Ｂ，Ｃの関係を示す図
【図６】同コンロの補助炎口部の断面を示す図
【図７】同コンロの補助炎口部のＢ−Ｂ断面図
【図８】本発明の実施の形態２における炎口Ｂ及びＣの断面図
【図９】本発明の実施の形態３における熱電素子部を加熱する炎口構成状態を示す図
【図１０】従来のコンロバーナの側面断面図
【図１１】従来の他のコンロバーナの側面断面図
【符号の説明】
【００３７】
１  ガスコンロ
２  コンロバーナ
３  バーナボディ
４  バーナキャップ
８  炎口Ａ
８Ａ  主炎口部
１６  炎口Ｂ
１９  炎口Ｃ
２０  立ち消え安全装置
２０Ａ  熱電素子部
２１  衝突火炎
２４  平面部
２５  炎口Ｄ
２８  補助炎口部
【図１】
2007057146.tif 000003
【図２】
2007057146.tif 000004
【図３】
2007057146.tif 000005
【図４】
2007057146.tif 000006
【図５】
2007057146.tif 000007
【図６】
2007057146.tif 000008
【図７】
2007057146.tif 000009
【図８】
2007057146.tif 000010
【図９】
2007057146.tif 000011
【図１０】
2007057146.tif 000012
【図１１】
2007057146.tif 000013